(57)【要約】      （修正有）【課題】立てられ、保持可能、コード巻取可能な携帯電話ケースを提供する。【解決手段】携帯電話の背面をカバーするためのケースが備わり、ケースの表面に矩形開口があり、矩形開口内にブラケットが備わる。ブラケットの一端は、矩形開口に接続、ブラケットの他方側は、コード巻取ホルダーに接続するように設けられる。コード巻取ホルダーはカーブ形に設けられており、ブラケットが立ち上げられたとき、二指がそこを通って心地よく持てるようになり、使用しないとき、該ケースの背面に張り付くように設けられている。【選択図】図１
0003181524.tif 000002
【実用新案登録請求の範囲】
【請求項１】
携帯電話保護のために、携帯電話の外側をカバーするケースが備わり、該ケースの表面に矩形開口があり、該矩形開口の片側に、結合部が設けられており、
該矩形開口に応じて嵌め込まれているブラケットが備わり、両端にはそれぞれ、一結合部が設けられ、その中、一端の結合部は、該ケースの矩形開口の片側にある該結合部と結合するように設けられており、
片面の中央部に結合部があり、該ブラケットの他端にある該結合部と結合しているコード巻取ホルダーが備わっていることを特徴とする立てられ、保持可能、コード巻取可能な携帯電話ケースの構造改良。
【請求項２】
該矩形開口の結合部にあっては、該矩形開口の下側の内縁の両側端にそれぞれ、丸形埋込穴が設けられていることを特徴とする請求項１に記載の立てられ、保持可能、コード巻取可能な携帯電話ケースの構造改良。
【請求項３】
該ブラケットの一端にある結合部及び該矩形開口の片側の結合部とは共に、丸棒に貫通されており、該丸棒の両端は、該矩形開口の下側にある内縁の両側端の該丸形埋込穴に対応、嵌め込んで、接続するように設けられていることを特徴とする請求項２に記載の立てられ、保持可能、コード巻取可能な携帯電話ケースの構造改良。
【請求項４】
該コード巻取ホルダーの片面の中央部には一結合部があり、それぞれ通孔付きの両固定端が設けられていることを特徴とする請求項１に記載の立てられ、保持可能、コード巻取可能な携帯電話ケースの構造改良。
【請求項５】
該コード巻取ホルダーの片面の中央部にある結合部、及び該ブラケットの他端にある該結合部とは、共に一丸棒に貫通されて、接続していることを特徴とする請求項４に記載の立てられ、保持可能、コード巻取可能な携帯電話ケースの構造改良。
【請求項６】
該コード巻取ホルダーにあっては、長側端の中央からそれぞれ両短側端へと、対称した二カーブが形成、四周の縁にガイドカーブが形成されており、該コード巻取ホルダーには、対称した二カーブにそれぞれ、カーブの丸穴が設けられ、該カーブの丸穴は、短側端の中央に、開放された細長いカーブラインが設けられていることを特徴とする請求項１に記載の立てられ、保持可能、コード巻取可能な携帯電話ケースの構造改良。
【請求項７】
ケース、ブラケット、コード巻取ホルダーの組合により、例えば、Ｍｐ３スピーカー、タップレットパソコン、ノートパソコンのような何れかの電子装置に利用されるように設けられていることを特徴とする請求項１に記載の立てられ、保持可能、コード巻取可能な携帯電話ケースの構造改良。
【考案の詳細な説明】
【技術分野】
【０００１】
本考案は、携帯電話ケースの構造改良に関わり、特に、立てられ、保持可能で、イヤホンコード巻取も可能な携帯電話ケースに関する。
【背景技術】
【０００２】
一般的な携帯電話ケースは、携帯電話を保護するために、その外側をカバーするように利用し、それと同時に、携帯電話用の個性的なアクセサリーとして利用されているが、携帯電話ケースの利用により、その筐体を頻繁に摩耗、摩擦して生じる傷、または、軽い衝突によるダメージなどから、携帯電話を保護ために、使用されているが、それに、携帯電話ケースは単一の保護機能だけでなく、携帯電話ケースに少し工夫を加えて、例えば、該携帯電話ケースを利用して、携帯電話が立てられ、保持などの機能も可能になるが、しかし、このような実用的で便利な機能はせいぜい、特別な用途のみに限って提供されており、特に人の目を惹きつける新しいアイデアにもならず、構造の外観などで、携帯電話ケース全体の見た目の良さにマイナスな影響を与え、人々の購買欲を低減させてしまうまでの恐れもある。
【０００３】
それに鑑みて、携帯電話ケースの従来の保護用ケースを改善すること、それに、単一機能のみの携帯電話ケースで、その実用性が消費者の使用ニーズや購買意欲に完全に一致せず、更なる統合的な機能を有する商品に改良することが求められる。本考案の考案者は、使用者の使用行為について更に検討し、携帯電話ケースを構造的に、立てられ、保持可能で、しかもイヤホンコード巻取可能なオリジナルな携帯電話ケースに設計し、従来の伝統的な使い方や限られた機能を強化して、人々に更なる福をもたらすことができると思われる。
【考案の開示】
【考案が解決しようとする課題】
【０００４】
本考案は、オリジナルなブラケット、コード巻取ホルダーの組合せを備えてなり、立ち上げたとき、三角形をなしており、該ケースはそれに支えられ、立てられて置かれるようになり、使用しないとき、該ケースの背面に張り付くように設けられている携帯電話ケースを提供することを主な目的とする。
【０００５】
本考案は、オリジナルなカーブ流線型コード巻取ホルダーを備えてなるケースであり、二指がその両側を通って、手で持てば、心地よく持てるように設けられている携帯電話ケースを提供することをもう一つの目的とする。
【０００６】
本考案は、一ペアのイヤホンが簡単に整理、収納されるのに供するための該コード巻取ホルダーを備えてなる携帯電話ケースを提供することを更にもう一つの目的とする。
【課題を解決するための手段】
【０００７】
上述した目的を達成させるため、本考案は、携帯電話の背面をカバーするためのケースが備わり、該ケースの表面に矩形開口があり、該矩形開口内にブラケットが備わっており、該ブラケットの一端は、該矩形開口に接続、該ブラケットの他方側は、コード巻取ホルダーに接続するように設けられ、それに、立ち上げられたとき、相互で三角形をなしており、ケースはそれに支えられ、立てられるように設けられており、該コード巻取ホルダーはカーブ形に設けられており、ブラケットが立ち上げられたとき、二指がそこを通って心地よく持てるようになり、そして、簡単にイヤホンコードを巻き取り、収納できるように設けられており、該コード巻取ホルダーは使用しないとき、該ケースの背面に張り付くように設けられていることを特徴とする立てられ、保持可能、コード巻取可能な携帯電話ケースの構造改良を提供するが、本考案は、オリジナルなブラケット、コード巻取ホルダーの組合せを備えてなり、多機能を一体化した素晴らしい新規なものである。
【０００８】
それに、本考案にあっては、該コード巻取ホルダーは、対称したケーブ形に設けられ、一ペアのイヤホンを固定するための通孔が設けられている。
【０００９】
その上、本考案のケース、ブラケット、コード巻取ホルダーの組合サイズは、お好きな大きさに拡大して、一体化したものとして、Ｍｐ３プレイヤー、タップレットパソコン、ノートパソコンなどの大小サイズの電子装置に設けられるが、本考案の構造、組合せ、技術手段や効果の達成に関して、図面を参照して、以下のように具体的に説明する。  
【図面の簡単な説明】
【００１０】
【図１】本考案の好適な実施例の立体分解図
【図２】本考案の好適な実施例の正面と背面イメージ
【図３】本考案の好適な実施例の側面アングルイメージ
【図４】本考案の好適な実施例の立体組立イメージ
【図５】本考案の好適な実施例の携帯電話と組合せて立てられたときのイメージ
【図６】本考案の好適な実施例のコード巻取ホルダーが畳まれたときのイメージ
【図７】本考案の好適な実施例の保持イメージ
【図８】本考案の好適な実施例のイヤホンを巻き取って止めたときのイメージ
【考案を実施するための形態】
【００１１】
本考案は、立てられ、保持可能、コード巻取可能な携帯電話ケースの構造改良を提供するが、まず、図面に示すように、図１は好適な実施例の立体分解イメージ、図２はその正面と背面イメージ、図３はその側面アングルイメージ、図４は立体組立イメージ、図５は携帯電話と組み合わせて立てられたときのイメージ、図６はコード巻取ホルダーが畳まれたときのイメージ、図７は保持イメージ、図８はイヤホンを巻き取って止めたときのイメージを参照してください。本考案は主に、一ケース（１）、一ブラケット（２）、一コード巻取ホルダー（３）を備えてなるものである。
【００１２】
該ケース（１）は軟質材料、例えばプラスチック、革類で、携帯電話保護のために、携帯電話の背面をカバーしている矩形凹状をし、携帯電話のレンズ位置に対応するための楕円開口（１１）が設けられ、それに、該ケース（１）の表面に矩形開口（１２）、該矩形開口（１２）の片側に結合部が設けられており、本実施例にあっては、該矩形開口（１２）の下側の内縁の両側端にはそれぞれ、一丸形埋込穴（１２０）が設けられている。
【００１３】
該ブラケット（２）は矩形板で、該矩形開口（１２）に応じて嵌め込まれており、両側にカーブがあり、両端にそれぞれ、一結合部が設けられており、本実施例にあっては、該ブラケット（２）の一端にある結合部は、該矩形開口（１２）の幅に対応するための長い内通孔（２０）、他端にある結合部は、短い内通孔（２１）が設けられており、該ブラケット（２）の一端は、該矩形開口（１２）と接続しているが、丸棒（２２）は、該ブラケット（２）にある長い内通孔（２０）を貫通し、該丸棒（２２）の両端が対応する該矩形開口（１２）の丸形埋込穴（１２０）に嵌め込まれており、図３の（ａ）に示すように、丸棒  （２２）を回転軸として、該ブラケット（２）が垂直方向に上下９０度回転できるように設けられている。
【００１４】
該コード巻取ホルダー（３）は矩形で、長側端の中央からそれぞれ両短側端へと、対称した二カーブが形成、四周の縁にガイドカーブが形成されているが、両指がそれぞれ該二カーブに張り付き、該ブラケット（２）を手で挟み持つようにすれば、人間工学に基づき心地よく保持する目的が実現されるが、該コード巻取ホルダー（３）は、該二カーブにそれぞれ、カーブの丸穴（３０）が設けられ、該カーブの丸穴（３０）は、短側端の中央に、開放された細長いカーブライン（３０１）が設けられており、該コード巻取ホルダー（３）の片面の中央部に一結合部があり、該ブラケット（２）の他端にある該結合部と結合しているが、本実施例の該コード巻取ホルダー（３）の結合部にはぞれぞれ、一通孔（３１）付きの両固定端が設けられ、そしてそれぞれ該ブラケット（２）の該短い内通孔（２１）の両側に対応するように設けられ、一丸棒（３２）がそこを貫通、結合させると同時に、図３の（ｂ）に示すように、そこを回転軸として、該ブラケット（２）が水平方向に左右９０度回転できるように設けられている。
【００１５】
図４に示すのは組立実施例だが、該ブラケット（２）の両端はそれぞれ、該矩形開口（１２）と該コード巻取ホルダー（３）に接続し、相互に回転できるように設けられており、該コード巻取ホルダー（３）を回転して、上縁が該矩形開口（１２）の上側に突き当てて、挟角が形成され、該コード巻取ホルダー  （３）と該ブラケット（２）との間に三角形をなして、それに支えられ、該ケース（１）が斜角で立てられるようになり、図五に示すように、該ケース（１）  の正面には更に、携帯電話（４）が置かれており、立ち上げられたとき、該コード巻取ホルダー（３）と該ブラケット（２）が三角形をなして、該ケース（１）  はそれに支えられ、立てられて置かれるようになり、図六に示すように、使用しないとき、該コード巻取ホルダー（３）は該ケース（１）の背面に張り付くように設けられている。
【００１６】
図３と共に、図７に示す保持したときの実施状態図を参照するが、該ブラケット（２）と該コード巻取ホルダー（３）は相互が垂直方向に回転され、そこを  両指が通って、手で保持することができるが、該コード巻取ホルダー（３）  の四周の縁にはガイドカーブが設けられ、それに、対称した二カーブが設けられていることから、人工工学に基づき、ぴったり感のある心地よさで挟み持つことができ、そのうえ、該ブラケット（２）を両手で持つことで、携帯電話（４）を手にしているとき、しっかりと持てられ、容易に落下させたりすることはない。  
【００１７】
図３と図８の実施例を参照するが、該ブラケット（２）と該コード巻取ホルダー（３）は相互が垂直方向に回転され、それにより、一ペアのイヤホン（５）  を巻き取り、収納することができるが、一ペアのイヤホン（５）は、イヤホンコード（５１）が繋がっており、一端にジャック（５２）があり、携帯電話（４）  のイヤホン差込口（未図示）に差し込むことができるが、該イヤホンコード（５１）を、該ブラケット（２）に巻き付け、最後のイヤホンコード（５１）をそれぞれ、該カーブの丸穴（３０）の細長いカーブライン（３０１）内に通らせるようにし、一ペアのイヤホン（５）をそれぞれ、該コード巻取ホルダー（３）  の該カーブの丸穴（３０）内に掛けて固定させるようにする。  
【００１８】
上述した内容をまとめると、本考案は、携帯電話ケースを提供することを主な目的とするが、市販の一般的な携帯電話ケースのように、基本的な保護機能を有するものとは異なり、本考案の携帯電話ケースの構造改良では、  該ケースは、携帯電話への基本的な保護機能を果すほかに、該ケースにあっては、オリジナルな一ブラケット、一コード巻取ホルダーを備えてなる組合せは、立ち上げられたとき、ケースが立てられて置かれるようになり、それが畳まれたとき、該ケースの背面に張り付くように設けられていること、そして、該コード巻取ホルダーで、使用しないイヤホンを簡単に巻き取り、固定させるように設けられていること、そのうえ、該ブラケットと該コード巻取ホルダーは共に、立体的なカーブ流線型に設けられ、人体工学の要求に一致したものであり、両指が該コード巻取ホルダーの両側を通って保持して、手で心地よく持つことができること、本考案のケースは多機能を一体化したもので、本考案のケース、ブラケット、コード巻取ホルダーの組合サイズは、好きな大きさに拡大して、Ｍｐ３スピーカー、タップレットパソコン、ノートパソコンなどの大小サイズの電子装置に設けられることから、実に素晴らしい新規なものである。
【００１９】
上述した説明から、本考案は優れた産業上に利用される価値があり、実用性を持つものであることが明らかになり、確実に優れた、斬新的なオリジナルな設計であるため、法の規定により、書類を提出、実用新案登録出願を行う所以である。
【００２０】
上述のように詳しく説明してきたのは、本考案の実施可能な実施例に関する具体的な説明であり、ただし、これらの実施例をもって、本考案の実用新案登録請求範囲を制限するものとして用いてはならず、本考案のコンセプトや考えに基づき、それらの改造や変更などを行って、それと同等な効果を得た実施や改造、実施があっても、すべて本考案の実用新案登録請求範囲に含まれるものとする。  
【符号の説明】
【００２１】
ケース        （１）
楕円開口      （１１）  
矩形開口      （１２）
丸形埋込穴    （１２０）  
ブラケット    （２）  
長い内通孔    （２０）  
短い内通孔    （２１）
丸棒          （２２）  
コード巻取ホルダー  （３）  
カーブの丸穴  （３０）  
細長いカーブライン  （３０１）
通孔          （３１）  
丸棒          （３２）
携帯電話      （４）  
イヤホン      （５）  
イヤホンコード  （５１）  
ジャック      （５２）  
【図１】
0003181524.tif 000003
【図２】
0003181524.tif 000004
【図３】
0003181524.tif 000005
【図４】
0003181524.tif 000006
【図５】
0003181524.tif 000007
【図６】
0003181524.tif 000008
【図７】
0003181524.tif 000009
【図８】
0003181524.tif 000010
【手続補正書】
【提出日】平成24年12月4日(2012.12.4)
【手続補正２】
【補正対象書類名】実用新案登録請求の範囲
【補正対象項目名】全文
【補正方法】変更
【補正の内容】
【実用新案登録請求の範囲】
【請求項１】
携帯電話保護のために、携帯電話の外側をカバーするケースが備わり、該ケースの表面に矩形開口があり、該矩形開口の片側に、結合部が設けられており、
該矩形開口に応じて嵌め込まれているブラケットが備わり、両端にはそれぞれ、一結合部が設けられ、その中、一端の結合部は、該ケースの矩形開口の片側にある該結合部と結合するように設けられており、
片面の中央部に結合部があり、該ブラケットの他端にある該結合部と結合しているコード巻取ホルダーが備わっていることを特徴とする立てられ、保持可能、コード巻取可能な携帯電話ケース。
【請求項２】
該矩形開口の結合部にあっては、該矩形開口の下側の内縁の両側端にそれぞれ、丸形埋込穴が設けられていることを特徴とする請求項１に記載の立てられ、保持可能、コード巻取可能な携帯電話ケース。
【請求項３】
該ブラケットの一端にある結合部及び該矩形開口の片側の結合部とは共に、丸棒に貫通されており、該丸棒の両端は、該矩形開口の下側にある内縁の両側端の該丸形埋込穴に対応、嵌め込んで、接続するように設けられていることを特徴とする請求項２に記載の立てられ、保持可能、コード巻取可能な携帯電話ケース。
【請求項４】
該コード巻取ホルダーの片面の中央部には一結合部があり、それぞれ通孔付きの両固定端が設けられていることを特徴とする請求項１に記載の立てられ、保持可能、コード巻取可能な携帯電話ケース。
【請求項５】
該コード巻取ホルダーの片面の中央部にある結合部、及び該ブラケットの他端にある該結合部とは、共に一丸棒に貫通されて、接続していることを特徴とする請求項４に記載の立てられ、保持可能、コード巻取可能な携帯電話ケース。
【請求項６】
該コード巻取ホルダーにあっては、長側端の中央からそれぞれ両短側端へと、対称した二カーブが形成、四周の縁にガイドカーブが形成されており、該コード巻取ホルダーには、対称した二カーブにそれぞれ、カーブの丸穴が設けられ、該カーブの丸穴は、短側端の中央に、開放された細長いカーブラインが設けられていることを特徴とする請求項１に記載の立てられ、保持可能、コード巻取可能な携帯電話ケース。
【請求項７】
ケース、ブラケット、コード巻取ホルダーの組合により、例えば、Ｍｐ３スピーカー、タップレットパソコン、ノートパソコンのような何れかの電子装置に利用されるように設けられていることを特徴とする請求項１に記載の立てられ、保持可能、コード巻取可能な携帯電話ケース。